(57)【要約】【課題】昇降装置のねじ軸に沿って移動する際の円滑性を向上させた昇降装置に用いられる回転ユニットを提供する。【解決手段】本発明は、昇降装置のねじ軸４０と組み合わせて使用する昇降装置に用いられる回転ユニットであって、外周面に雄ネジ溝１１が環設され、且つ雄ネジ溝１１を連通させる循環溝１２が設けられて循環ルートが形成されている本体１０と、本体１０に挿設されている回転軸２０と、本体１０の雄ネジ溝１１内に設置され、循環ルートに沿って移動する複数のボール３０とを備える。回転ユニットがねじ軸４０に対して回転しながら昇降する際、雄ネジ溝１１内において移動するボール３０は、循環溝１２へ移動した後、再び雄ネジ溝１１へ移動する。このように、ボール３０が循環するため、円滑性が向上する。【選択図】図１
2015040629.tif 000002
【特許請求の範囲】
【請求項１】
昇降装置のねじ軸と組み合わせて使用する昇降装置に用いられる回転ユニットであって、
外周面に雄ネジ溝が環設され、且つ該雄ネジ溝を連通させる循環溝が設けられて循環ルートが形成されている本体と、
前記本体に挿設されている回転軸と、
前記本体の前記雄ネジ溝内に設置され、前記循環ルートに沿って移動する複数のボールと
を備える、昇降装置に用いられる回転部材。
【請求項２】
前記循環溝は前記本体の外周面に設けられている、請求項１に記載の昇降装置に用いられる回転部材。
【請求項３】
前記本体は、主体部と、第１エンドキャップと、第２エンドキャップとを有し、
前記雄ネジ溝は、前記主体部に環設され、且つ前記主体部の上面及び底面まで延びており、
前記循環溝は、前記主体部の上面から底面まで貫通するように前記主体部に設けられ、
前記第１エンドキャップは、前記主体部の上面に位置し、
前記第２エンドキャップは、該主体部の底面に位置し、
前記主体部に面する前記第１エンドキャップ及び前記第２エンドキャップの端面には、前記雄ネジ溝に対応するガイド溝が設けられている、請求項１に記載の昇降装置に用いられる回転部材。
【請求項４】
前記本体の循環溝に締結面が形成されると共に、前記本体にボール方向変換部が設置され、該ボール方向変換部は、該締結面に締結され且つ前記雄ネジ溝に接続するスライドガイド溝を有する、請求項１又は２に記載の昇降装置に用いられる回転部材。
【発明の詳細な説明】
【技術分野】
【０００１】
本発明は昇降装置に用いられる回転ユニットに関し、特に昇降装置のねじ軸と組み合わせて使用し、昇降性が向上したものに関する。
【背景技術】
【０００２】
従来のエレベーターでは、駆動部で鋼索を駆動させることよってエレベーターを移動させるようにしている。また、機械式駐車設備では、駆動部で鋼索やチェーンを駆動させることよって駐車設備を昇降させるようにしている。ロープやチェーンは切れてしまうという安全面のリスクがあるため、本発明者は、安全性を向上させるために、中華民国特許出願第１０１１５０４４１号「ねじ軸ユニット及びねじ軸ユニットを使用した昇降装置」を考案した。該昇降装置には、ねじ軸と、回転ユニットと、昇降載置フレームと、減速モータと、伝動部とが設けられている。回転ユニットは回転可能にねじ軸と噛合し、ねじ軸に沿って移動する。該昇降フレームは回転ユニット同士間に設置されている。該減速モータは該昇降フレームに設けられている。該伝動部は減速モータと回転ユニットとを連結する。該昇降装置では、減速モータが伝動部を介して回転ユニットを駆動し、回転ユニットがねじ軸に対して回転しながら昇降する。本発明者は、上記昇降装置に基づいて、ねじ軸に対する回転ユニットの移動の更なる円滑化を図ることにした。
【発明の概要】
【発明が解決しようとする課題】
【０００３】
本発明の主な目的は、昇降装置のねじ軸に沿って移動する際の円滑性を向上させた昇降装置に用いられる回転ユニットを提供することにある。
【課題を解決するための手段】
【０００４】
上記目的を達成するために、本発明の昇降装置に用いられる回転ユニットは、昇降装置のねじ軸と組み合わせて使用するものであって、外周面に雄ネジ溝が環設され、且つ該雄ネジ溝を連通させる循環溝が設けられて循環ルートが形成されている本体と、前記本体に挿設されている回転軸と、前記本体の前記雄ネジ溝内に設置され、前記循環ルートに沿って移動する複数のボールとを備える。
【０００５】
上記構成によれば、該回転ユニットがねじ軸に対して回転しながら昇降する際、ボールは、雄ネジ溝に沿って循環溝へ移動した後、再び循環溝を通じて雄ネジ溝へ移動する。このように、ボールは循環ルートにおいて循環できるため、円滑性が向上する。
【図面の簡単な説明】
【０００６】
【図１】本発明の第１好適実施形態に係る昇降装置に用いられる回転ユニットの模式的組み立て斜視図である。
【図２】本発明の第１好適実施形態に係る昇降装置に用いられる回転ユニットの模式的組み立て側面図である。
【図３】本発明の第２好適実施形態に係る昇降装置に用いられる回転ユニットの模式的分解斜視図である。
【図４】本発明の第２好適実施形態に係る昇降装置に用いられる回転ユニットの模式的組み立て斜視図である。
【図５】本発明の第２好適実施形態に係る昇降装置に用いられる回転ユニットにおける主体部の模式的斜視図である。
【図６】本発明の第２好適実施形態に係る昇降装置に用いられる回転ユニットにおける主体部の模式的側面図である。
【図７】本発明の第３好適実施形態に係る昇降装置に用いられる回転ユニットの主体部の模式的斜視図である。
【図８】本発明の第３好適実施形態に係る昇降装置に用いられる回転ユニットの主体部の模式的側面図である。
【図９】本発明の第２好適実施形態に係る昇降装置に用いられる回転ユニットの使用状態での模式的組み立て斜視図である。
【図１０】本発明の第２好適実施形態に係る昇降装置に用いられる回転ユニットの使用状態での模式的側面視断面図である。
【図１１】本発明の第４好適実施形態に係る昇降装置に用いられる回転ユニットの模式的分解斜視図である。
【発明を実施するための形態】
【０００７】
図１、図３及び図4に示すのは、本発明に係る昇降装置に用いられる回転ユニットのいくつかの好適実施形態である。これらの実施形態において、昇降装置に用いられる回転ユニットは、本体１０と、回転軸２０と、複数のボール３０とを備える。
【０００８】
該本体１０の外周面には、雄ネジ溝１１が環設され、また、該本体１０には、雄ネジ溝１１を連通させる循環溝１２が設けられている。連通された雄ネジ溝１１と循環溝１２とが循環ルートを形成する。該本体１０の外周面には、ボール方向変換部５０が設置され、該ボール方向変換部５０は、対応する循環溝１２に隣接している。該回転軸２０は該本体１０に挿設され、且つ該回転軸２０の両端部は、該本体１０の両端面から突出している。それらのボール３０は、本体１０の雄ネジ溝１１内に設置され、循環ルートに沿って移動する。
【０００９】
図１及び図２に示すように、前記循環溝１２は、該本体１０の外周面に設けられ、且つ雄ネジ溝１１間を連結する。該本体１０の外周面には、４本の循環ルートが形成されている。
【００１０】
図１１に示すように、該本体１０Ａの外周面には、雄ネジ溝１１Ａと循環溝１２Ａとが設けられ、該循環溝１２Ａには、締結面１８Ａが設けられている。該本体１０Ａの外周面には、ボール方向変換部５０Ａが設けられ、該ボール方向変換部５０Ａは、対応する締結面１８Ａに締結されている。ボール方向変換部５０Ａの内側面には、スライドガイド溝５２Ａが形成され、該スライドガイド溝５２Ａは、対応する雄ネジ溝１１Ａと接続し、ボール３０Ａが循環移動するためのルートを形成する。このように、ボール方向変換部５０Ａによってボール３０Ａの移動方向を変換させる。
【００１１】
図３〜図６に示すように、該本体１０は、主体部１３と、第１エンドキャップ１４と、第２エンドキャップ１５とを有する。前記雄ネジ溝１１は、該主体部１３に環設され、且つ該主体部１３の上面及び底面まで延びている。前記循環溝１２は、主体部１３の上面から底面まで貫通するように主体部１３に設けられている。該第１エンドキャップ１４は該主体部１３の上面に位置し、該第２エンドキャップ１５は該主体部１３の底面に位置している。主体部１３に面する該第１エンドキャップ１４及び該第２エンドキャップ１５の端面には、雄ネジ溝１１に対応するガイド溝１６が設けられている。該主体部１３には４本の循環ルートが形成されている。なお、図７及び図８に示す主体部１３には、１本の循環ルートが形成されているが、２本又は３本の循環ルートが形成されてもよい。
【００１２】
図９、図１０に示すように、該回転ユニットは、昇降装置のねじ軸４０と組み合わせて使用するものである。該回転ユニットは、カバー部材４４によってねじ軸４０上に設置され、回転ユニットのボール３０はねじ軸４０の雌ネジ部４１と噛合している。該回転ユニットの回転軸２０には、軸受け４２と歯車４３とが設けられている。歯車４３は、昇降装置の伝動部と連結し、昇降装置における減速モーターが伝動部を介して歯車４３を駆動することで、該回転ユニットは回転しながらねじ軸４０に対して昇降する。回転ユニットの昇降中、それらのボール３０は、雄ネジ溝１１に沿って循環溝１２へ移動した後、再び循環溝１２から雄ネジ溝１１へ移動する。
【００１３】
上述したように、該回転ユニットには、雄ネジ溝１１間を連通させる循環溝１２が設けられて循環ルートが形成されているため、ボール３０を継続的に循環移動させることができる。その結果、回転ユニットがねじ軸に沿って移動する際の円滑性が向上する。
【符号の説明】
【００１４】
１０  本体
１１  雄ネジ溝
１２  循環溝
１３  主体部
１４  第１エンドキャップ
１５  第２エンドキャップ
１６  ガイド溝
２０  回転軸
３０  ボール
４０  ねじ軸
４１  雌ネジ部
４２  軸受け
４３  歯車
４４  カバー部材
５０  ボール方向変換部
１０Ａ  本体
１１Ａ  雄ネジ溝
１２Ａ  循環溝
１８Ａ  締結面
３０Ａ  ボール
５０Ａ  ボール方向変換部
５２Ａ  スライドガイド溝
【図１】
2015040629.tif 000003
【図２】
2015040629.tif 000004
【図３】
2015040629.tif 000005
【図４】
2015040629.tif 000006
【図５】
2015040629.tif 000007
【図６】
2015040629.tif 000008
【図７】
2015040629.tif 000009
【図８】
2015040629.tif 000010
【図９】
2015040629.tif 000011
【図１０】
2015040629.tif 000012
【図１１】
2015040629.tif 000013